(57)【要約】      （修正有）【課題】有害電磁波による障害を軽減できる有害電磁波対策テープを提供する。【解決手段】有害電磁波対策テープ１１は、あらかじめ３２〜３８テラヘルツの共鳴電磁波を照射し、有害電磁波対策テープ１１に共鳴電磁波を放射する機能を転写することで、有害電磁波対策テープ１１自体を、共鳴電磁波の転写放射体としたもので、スマートフォン１０やタブレットやパソコンやテレビの液晶画面１２の表面または機器裏面などの本体に装着する。【選択図】図２
0003234291.tif 000002
【実用新案登録請求の範囲】
【請求項１】
３２〜３８テラヘルツの共鳴電磁波を、２時間〜１２時間、２０℃〜９０℃の温度条件下で、テープに照射することで、当該テープ自体を当該共鳴電磁波の放射体とすることを特徴とするスマートフォンやタブレットやパソコンやテレビなど用の有害電磁波対策テープ。
【考案の詳細な説明】
【技術分野】
【０００１】  本考案は、３２〜３８テラヘルツの共鳴電磁波を、テープに照射しテープ自体を、当該共鳴電磁波の転写放射体とすることを特徴とする、有害電磁波障害の緩和を目的とした有害電磁波対策テープに関するものである。
【背景技術】
【０００２】  近年、スマートフォンやタブレットやパソコンやテレビの使用時間が急速に増加し、発生する有害電磁波による健康障害が問題となっている。【０００３】  鉱石や金属の粉末を練りこんだり塗布した材料や、固形物質を固定する方法やテラヘルツ波を用いて有害電磁波を防止するシールやテープが開発されている。
【特許文献１】特開平１０−２００３３０
【特許文献２】登録実用新案第３２２２１７４号
【特許文献３】登録実用新案第３０３８１９２号
【考案の概要】
【考案が解決しようとする課題】
【０００４】  近年、スマートフォンやタブレットやパソコンやテレビから発生する有害電磁波による健康障害が問題になっている。【０００５】  また、スマートフォンやタブレットやパソコンやテレビの使用時間が増え、使用が夜間に至ることもあるため、サーカディアンリズム（概日リズム）が乱れ、睡眠不足や体調の乱れといった有害電磁波に起因するストレスの増加という問題も出ている。【０００６】  鉱石や金属の粉末を練りこんだり塗布した材料や、固形物質を固定する方法やテラヘルツ波を用いて有害電磁波を防止するシールやテープが開発されている。【０００７】  しかしテラヘルツ波といっても周波数範囲が広く、放射している電磁波の周波数が明確でないものが多く、繊維に練りこんだり、固形物質固定による耐久性にも問題があった。
【課題を解決するための手段】
【０００８】  このような課題を解決するために、本考案者は、３２〜３８テラヘルツの共鳴電磁波を、２時間〜１２時間、２０℃〜９０℃の温度条件下で、テープに照射することで、当該テープ自体が当該共鳴電磁波の転写放射体となり、自らが当該共鳴電磁波の発射体となり、放射される対象物の電子の動きを円滑にすることを見出し、本考案をなすに至った。【０００９】  すなわち、上記課題を解決するために本考案では、３２〜３８テラヘルツの共鳴電磁波を放射する物質と、テープを近接させ、２０℃〜９０℃の温度条件下で、２時間〜１２時間放置し、当該共鳴電磁波の放射体から発射される電磁波を、共振作用により、当該テープに転写し、当該テープ自体を当該共鳴電磁波の放射体とする。【００１０】  粘着テープ自体を共鳴電磁波の放射体とすることで、当該テープから放射される３２〜３８テラヘルツの共鳴電磁波で、機器の発生する有害電磁波の電子の動きを円滑にすることができ、有害電磁波に乗っているノイズを軽減することができ、健康障害を緩和することができる。【００１１】  また当該テープから放射される共鳴電磁波の還元作用により、有害電磁波に起因するストレスを緩和することができる。
【考案の効果】
【００１２】  本考案によれば、効果が明確で、効果の持続性の高い３２〜３８テラヘルツの共鳴電磁波を放射する有害電磁波対策テープを低コストで、大量に提供できる。【００１３】  有害電磁波対策テープから放射される共鳴電磁波の還元作用により、液晶画面から放出される有害電磁波による網膜の酸化劣化が還元され、視力障害が緩和される。【００１４】  また、有害電磁波対策テープから放射される３２〜３８テラヘルツの共鳴電磁波で、有害電磁波の電子の動きを円滑にすることができるため、有害電磁波に乗っているノイズを軽減することでストレスを緩和することができる。
【考案を実施するための形態】
【００１５】  以下、本考案の実施形態について図面を参照しながら詳細に説明する。
図１は、本考案の有害電磁波対策テープの製造方法の側面図を示す。
図２は、本考案の有害電磁波対策テープの作用概念を示す。
【００１６】  図１に示すように、共鳴電磁波放射シート１の上に、有害電磁波対策テープを密着させて置き当該シート１から放射される３２〜３８テラヘルツの共鳴電磁波４を、当該テープ２に２時間〜１２時間照射する。
【００１７】  当該共鳴電磁波放射シート１の下には２０℃〜９０℃の温度調節が可能なヒーター３が設けられていて、３２〜３８テラヘルツの共鳴電磁波４を当該テープ２に効率良く照射できる。
【００１８】  図２に示すように、スマートフォン１０に、３２〜３８テラヘルツの共鳴電磁波を、２０℃〜９０℃の温度条件下で、２時間〜１２時間照射した有害電磁波対策テープ１１を、スマートフォンやタブレットやパソコンやテレビの液晶画面１２の表面または機器裏面などの本体に装着すると、当該フィルム１１から、３２〜３８テラヘルツの転写共鳴電磁波１３が放射される。
【００１９】  図２のように、当該テープ１１から放射された転写共鳴電磁波１３は、ＬＥＤ１４に照射され、ＬＥＤ１４の発射する電磁波に還元効果を付加する。
【００２０】  還元効果を付加されたＬＥＤ１４から発射される電磁波１５は目１６に到達すると視神経を癒し、ストレスを緩和する。
【００２１】  視神経以外の身体部位に対して機器から放射される電磁波に対しても同様な効果をもたらす。
【実施例】
【００２２】  いろいろなテストを通して、本考案の有害電磁波対策テープについて、下記の効果が確認されている。
＊パソコン画面に本考案の有害電磁波対策テープを貼り付けることにより、夜１時間以上パソコンを使用しても、ＤＮＡの酸化劣化の指標であるテロメア値の変化が見られず、十分安眠できた。
＊スマートフォンの液晶画面に、本考案の有害電磁波対策テープに貼り付けると、１日中スマートフォンを使用しても目の疲労感はなかった。
【産業上の利用可能な分野】
【００２３】  本考案の有害電磁波対策テープは、スマートフォンやタブレットやパソコンやテレビから発生する有害電磁波障害対策用としてばかりでなく、有害電磁波を発生する装置にも利用できる。
【図面の簡単な説明】
【００２４】
【図１】は、本考案の有害電磁波対策テープの製造方法の側面図を示す。
【図２】は、本考案の有害電磁波対策テープの作用概念の断面図を示す。
【符号の説明】
【００２５】１    共鳴電磁波放射シート
２    有害電磁波対策テープ
３    ヒーター
４    共鳴電磁波
１０  スマートフォン
１１  有害電磁波対策テープ
１２  液晶画面
１３  転写共鳴電磁波
１４  ＬＥＤ
１５  ＬＥＤが発生する電磁波
１６  目
【図１】
0003234291.tif 000003
【図２】
0003234291.tif 000004
【手続補正書】
【提出日】令和3年4月7日(2021.4.7)
【手続補正１】
【補正対象書類名】実用新案登録請求の範囲
【補正対象項目名】全文
【補正方法】変更
【補正の内容】
【実用新案登録請求の範囲】
【請求項１】
３２〜３８テラヘルツの共鳴電磁波を、２時間〜１２時間、２０℃〜９０℃の温度条件下で、金属製やプラスチック製や天然または合成ゴム製テープに照射することで、当該テープ自体を当該共鳴電磁波の放射体とすることを特徴とするスマートフォン、タブレット、パソコン、テレビ用の有害電磁波対策テープ。
【手続補正書】
【提出日】令和3年6月30日(2021.6.30)
【手続補正１】
【補正対象書類名】実用新案登録請求の範囲
【補正対象項目名】全文
【補正方法】変更
【補正の内容】
【実用新案登録請求の範囲】
【請求項１】
３２〜３８テラヘルツの共鳴電磁波を、２時間〜１２時間、２０℃〜９０℃の温度条件下で、四角形状のテープに照射することで、当該テープ自体を当該共鳴電磁波の放射体とすることを特徴とするスマートフォンやタブレットやパソコンやテレビ用の有害電磁波対策テープ。